(57)【要約】【課題】  用紙に曲がって貼り付けられた顔写真から、傾きがないまっすぐの見栄えのよい顔写真画像を有するＩＤカードを作成することが可能な複写型ＩＤカード作成装置を提供する。【解決手段】  用紙に貼り付けられた顔写真を読み込んで画像データを作成する画像読取手段と、画像データの傾きを検知する検知手段と、顔写真を貼り付けた用紙の搬送や固定を行う手段が、用紙を傾斜させて顔画像の傾きを修正する複写型ＩＤカード作成装置。【選択図】        図２
2005066926.tif 000002
【特許請求の範囲】
【請求項１】
用紙上に貼付された顔写真を用いて顔写真入りのＩＤカードを作成する複写型ＩＤカード作成装置であって、
該顔写真を読み込み、画像データを作成する画像読取手段と、
該用紙上に貼付された顔写真の傾きを検知する検知手段と、
該用紙を搬送するとともに該顔写真の傾きを修正する用紙搬送手段と、
該用紙搬送手段を制御する制御手段とを有し、
該制御手段は、該検知手段が検知した顔写真の傾きの量に応じて該用紙搬送手段を駆動させて、該顔写真の傾きを修正する様に制御するものであることを特徴とする複写型ＩＤカード作成装置。
【請求項２】
用紙上に貼付された顔写真を用いて顔写真入りのＩＤカードを作成する複写型ＩＤカード作成装置であって、
該顔写真を読み込み、画像データを作成する画像読取手段と、
該用紙上に貼付された顔写真の傾きを検知する検知手段と、
該顔写真を読み込む時に該用紙を固定するとともに該顔写真の傾きを修正する用紙固定手段と、
該用紙固定手段を制御する制御手段とを有し、
該制御手段は、該検知手段が検知した顔写真の傾きの量に応じて該用紙固定手段を駆動させて、該顔写真の傾きを修正する様に制御するものであることを特徴とする複写型ＩＤカード作成装置。
【請求項３】
用紙上に貼付された顔写真を複写して顔写真入りのＩＤカードを作成するＩＤカード作成方法であって、
該顔写真を読み込み画像データの作成を行う際、画像データの読込みを行った時に顔写真が傾いて用紙に貼付されていることを検知した場合、
顔写真がまっすぐになるまで用紙を動かし、
該顔写真がまっすぐになった時に、再度顔写真の読込みを行うことを特徴とするＩＤカード作成方法。
【請求項４】
前記顔写真がまっすぐになるまで用紙を動かす方法が、前記用紙を搬送する搬送手段の駆動力を用いて行うものであることを特徴とする請求項３に記載のＩＤカード作成方法。
【請求項５】
前記顔写真がまっすぐになるまで用紙を動かす方法が、顔写真を読み取る時に前記用紙を固定する用紙固定手段の駆動力を用いて行うものであることを特徴とする請求項３に記載のＩＤカード作成方法。
【請求項６】
用紙上に貼付された顔写真を複写して作成される顔写真入りのＩＤカードであって、
請求項１または２に記載の複写型ＩＤカード作成装置によって作成されることを特徴とするＩＤカード。
【請求項７】
用紙上に貼付された顔写真を複写して作成される顔写真入りのＩＤカードであって、
請求項３〜５のいずれか１項に記載のＩＤカード作成方法によって作成されることを特徴とするＩＤカード。
【発明の詳細な説明】
【技術分野】
【０００１】
本発明は、用紙に貼り付けられた顔写真から得られた顔画像データを用いて顔写真入りのＩＤカードを作成する複写型ＩＤカード作成装置に関し、特に顔写真が用紙に曲がって貼り付けられていても顔画像が傾いていないカードを作成する複写型ＩＤカード作成装置に関する。
【背景技術】
【０００２】
社員証や学生証に代表される顔写真入りのＩＤカードを作成するＩＤカード作成装置がある。この様なＩＤカードの顔写真画像を取り込む方法としては、デジタルカメラやビデオカメラでユーザを直接撮影して顔画像を取り込み、カードを作成する方法（例えば、特許文献１参照）の他に、市中に設置されているボックス型の証明写真撮影装置等で作成された顔写真を申請書や台紙などの用紙に貼り付け、その顔写真を読み取って顔写真入りのＩＤカードを作成する複写型のＩＤカード作成装置がある。
【０００３】
この様なＩＤカード作成装置では、用紙上の所定位置に貼り付けられた顔写真をスキャナやＣＣＤカメラなどで読み取って得られた顔画像データと、氏名、住所、生年月日等の個人データやカード発行日等の文字データとを画像データとしてカード上にプリントしてＩＤカードを作成する。
【０００４】
用紙上の所定位置に顔写真を貼り付ける場合、顔写真が所定の位置に正確に貼り付けられることが重要である。ところが、所定位置に正確に貼り付けられずに、曲がって貼り付けられたり、所定位置からはみ出してずれて貼り付けられたりすることが多々ある。
【０００５】
この様に、顔写真が曲がったりずれたりした状態で貼り付けられると、この状態で顔写真の読込が行われるので、読取画像もずれたり曲がったままのものとなり体裁の悪いＩＤカードが作成され好ましくない。そこで、カード作成装置に写真の位置ずれや曲がりを修正する修正手段を設けて、顔写真が用紙上の所定位置に正確に貼り付けられていない場合でも、顔写真のずれや曲がりのない体裁の良いＩＤカードを作成するＩＤカード製造装置が従来より提案されてきた。
【０００６】
その中でも、ＩＤカード作成装置内に顔写真のずれや曲がりを修正するプログラムを内蔵し、ソフトウェアを用いて画像処理で修正を行い顔写真入りのＩＤカードを作成するものがある。
【０００７】
例えば、検知手段で用紙に貼り付けられた顔写真のずれ量や傾き角を検知した後、その検知量に基づくプログラム処理による自動修正を行うことで曲がりのない顔写真を有するＩＤカードを作成するカード作成装置（特許文献２参照）や、規定の写真サイズより大きい読取サイズで画像を読み取り、この画像の読み取りにより得られた画像データから写真エッジを検出し、この写真エッジを含まない様に写真画像を抽出した顔画像データで顔写真データを作成したＩＤカード作成装置（特許文献３参照）がある。
【０００８】
また、上記のソフトウェアにより顔写真の貼り付け位置を修正するものの他に、顔写真画像を取り込むＣＣＤカメラを用紙搬送経路の幅手方向に移動できる様に設置して、用紙上の顔写真の貼り付け位置に応じてカメラを移動して画像の読み取りを行って顔写真入りのＩＤカードを作成する複写撮影装置（特許文献４参照）もある。
【特許文献１】特開２００３−２５７７６号公報（段落００４８参照）
【特許文献２】特開平８−２８６２３９号公報（段落０００６、０７参照）
【特許文献３】特開２００１−１８０１６０号公報（段落００３７参照）
【特許文献４】特開平８−１０２８２６号公報（段落０００９参照）
【発明の開示】
【発明が解決しようとする課題】
【０００９】
ところで、用紙に貼付された顔写真を正確に顔画像データにするため、顔写真の画質を正確に維持することが要求される。そして、画質の維持と傾きの修正をソフトウェアにより同時に行うことは、プログラムの演算処理が大変複雑化してしまい、顔画像データの作成に多くの時間を費やすことになった。とりわけ、顔写真を複写してＩＤカードを作成する作業では、一度に大量のカード作成を行うことが多く、１件１件の画像の読取りに長い時間を費やすことは、作業効率低下の原因となっていた。
【００１０】
そこで、本発明者はソフトウェアを用いることなく顔画像データの傾きを修正する方法を検討し、用紙に貼られた顔写真がまっすぐになる様に用紙を動かして顔画像の傾きをなくすことを考えた。しかしながら、用紙を動かして顔写真の傾きを調整する方法は実施上多くの困難を有するものであることが判明した。
【００１１】
例えば、用紙を動かした後、顔写真がまっすぐになったら直ちに用紙が停止する様に制御することが必要だった。また、用紙に貼付された顔写真の傾き具合は用紙により異なるため、個々の用紙に貼付された顔写真を１枚ずつまっすぐになる様に用紙の作動を制御することも難しいものであった。
【００１２】
そして、この様な顔写真の傾き加減に応じて用紙を作動させる様な手段を顔写真を読み取る装置の中にあらたに設けると、装置内の部品点数が増えるとともに構造が複雑化してメンテナンス性を低下する要因となった。
【００１３】
また、傾きを修正するために特許文献４の様にカメラを移動させて修正を行う方法も検討されたが、カメラの様な精密機器を頻繁に動かす行為は故障の発生を招き易く、そのため稼働率が下がり信頼性を低下させることになった。
【００１４】
この様に、用紙に曲がって貼付された顔写真を、複雑な演算処理が必要なソフトウェアを用いることなく、傾きをまっすぐに修正することは非常に困難を伴うものであった。
【００１５】
本発明は、上記課題を鑑みてなされたものであり、用紙に貼付された顔写真が曲がって貼り付けられていても、顔画像の傾きを複雑な演算処理が必要なソフトウェアを用いずに修正して、曲がりのないまっすぐな顔画像を有するＩＤカードを作成する複写型ＩＤカード作成装置を提供することを目的とする。
【課題を解決するための手段】
【００１６】
本発明者は、複雑な演算処理が必要になるソフトウェアを用いずに、用紙に曲がって貼付された顔写真をまっすぐに修正する方法を検討した。そして、顔写真の読取りを行う時に、用紙を搬送する搬送ローラや顔写真が動かない様にするため用紙を固定する吸着器等の存在に着目した。
【００１７】
すなわち、本発明者は読取装置内で、用紙が搬送ローラや吸着器の作用を受けて規則的に搬送や停止、画像の読取り、排紙されていることに着目し、用紙を規則的に搬送したり保持するこれらの部材の駆動力を利用して、顔写真の傾きの修正を行うことを考えた。
【００１８】
そして、検討を重ねた末、顔写真が用紙に斜めに貼られていることを検知した時に、用紙を搬送する搬送ローラや読み取りを行う時に用紙を固定する吸着器を利用して顔写真の傾きをまっすぐに修正することを可能にした。すなわち、本発明は以下に記載のいずれかの構成により達成される。
【００１９】
〔１〕用紙上に貼付された顔写真を用いて顔写真入りのＩＤカードを作成する複写型ＩＤカード作成装置であって、該顔写真を読み込み、画像データを作成する画像読取手段と、該用紙上に貼付された顔写真の傾きを検知する検知手段と、該用紙を搬送するとともに該顔写真の傾きを修正する用紙搬送手段と、該用紙搬送手段を制御する制御手段とを有し、該制御手段は、該検知手段が検知した顔写真の傾きの量に応じて該用紙搬送手段を駆動させて、該顔写真の傾きを修正する様に制御するものであることを特徴とする複写型ＩＤカード作成装置。
【００２０】
〔２〕用紙上に貼付された顔写真を用いて顔写真入りのＩＤカードを作成する複写型ＩＤカード作成装置であって、該顔写真を読み込み、画像データを作成する画像読取手段と、該用紙上に貼付された顔写真の傾きを検知する検知手段と、該顔写真を読み込む時に該用紙を固定するとともに該顔写真の傾きを修正する用紙固定手段と、該用紙固定手段を制御する制御手段とを有し、該制御手段は、該検知手段が検知した顔写真の傾きの量に応じて該用紙固定手段を駆動させて、該顔写真の傾きを修正する様に制御するものであることを特徴とする複写型ＩＤカード作成装置。
【００２１】
上記〔１〕または〔２〕に記載の構成では、用紙を搬送したり読取りのために用紙を固定するための手段を使用して、用紙に貼付された顔写真の傾きをまっすぐに修正し、傾きのない良好な仕上がりの顔写真を有するＩＤカードの作成を可能にした。特に、これらの駆動力を活用することで用紙の円滑な移動や回転が行えるとともに、顔写真がまっすぐになったことを検知するとすぐにその駆動を停止することが可能なので、高精度な傾きの修正が行える様になった。
【００２２】
そして、本発明では、用紙に貼付された顔写真の傾きの修正を複雑な演算処理を伴うソフトウェアを用いる場合よりも迅速に行える様にしたので、ＩＤカード作成作業の効率を向上させた。特に、一度に大量のカード作成を行うことの多い複写のＩＤカード作成作業で、１件１件の画像読取りに費やす時間が少なくなり作業効率の向上は効果的であった。
【００２３】
また、本発明は、以下に記載のＩＤカード作成方法やＩＤカードによっても達成される。すなわち、
〔３〕用紙上に貼付された顔写真を複写して顔写真入りのＩＤカードを作成するＩＤカード作成方法であって、該顔写真を読み込み画像データの作成を行う際、画像データの読込みを行った時に顔写真が傾いて用紙に貼付されていることを検知した場合、顔写真がまっすぐになるまで用紙を動かし、該顔写真がまっすぐになった時に、再度顔写真の読込みを行うことを特徴とするＩＤカード作成方法。
【００２４】
〔４〕前記顔写真がまっすぐになるまで用紙を動かす方法が、前記用紙を搬送する搬送手段の駆動力を用いて行うものであることを特徴とする前記〔３〕に記載のＩＤカード作成方法。
【００２５】
〔５〕前記顔写真がまっすぐになるまで用紙を動かす方法が、顔写真を読み取る時に前記用紙を固定する用紙固定手段の駆動力を用いて行うものであることを特徴とする前記〔３〕に記載のＩＤカード作成方法。
【００２６】
〔６〕用紙上に貼付された顔写真を複写して作成される顔写真入りのＩＤカードであって、前記〔１〕または〔２〕に記載の複写型ＩＤカード作成装置によって作成されることを特徴とするＩＤカード。
【００２７】
〔７〕用紙上に貼付された顔写真を複写して作成される顔写真入りのＩＤカードであって、前記〔３〕〜〔５〕のいずれか１項に記載のＩＤカード作成方法によって作成されることを特徴とするＩＤカード。
【発明の効果】
【００２８】
本発明によれば、情報読取装置内の用紙搬送手段や用紙固定手段の駆動力を利用して顔写真を貼付した用紙を顔写真の曲がり具合に応じて傾斜させる操作を行うことにより、顔画像データを傾きのないまっすぐとした状態で取り込むことを可能にした。したがって、用紙に顔写真が曲がって貼り付けられていても、傾きのないまっすぐとした顔画像を有するＩＤカードの作成を可能にした。
【００２９】
とりわけ、本発明では、用紙に貼付された顔写真の曲がりを用紙搬送手段や用紙固定手段の駆動力を利用して修正することを可能にしたので、複雑な演算処理を行うソフトウェアによる傾き修正の場合よりも迅速に修正を行える様になり、ＩＤカード作成作業の効率を向上させた。特に、一度に大量のカード作成を行うことの多い複写のＩＤカード作成作業で、１件１件の画像読取りに費やす時間が少なくなり作業効率を大幅に向上させた。
【発明を実施するための最良の形態】
【００３０】
以下に、本発明の複写型ＩＤカード作成装置の実施の形態について、図を参照して詳細に説明する。
【００３１】
最初に、本発明に使用される顔写真を貼付した用紙について説明する。図１は、本発明に係る複写型ＩＤカード作成装置に使用される顔写真を貼付してなる用紙の一例である。
【００３２】
図１の用紙１は、顔写真を貼付する他に、ＩＤカードを作成する上で必要なデータを記入する欄が用意されており、各欄に所定の情報を記入する様になっている。具体的には、カード作成依頼者の氏名、住所、生年月日、所属部署等の個人データ１ａとＩＤカード作成者側で付与したＩＤ番号１ｂが記載されている。そして、ＩＤカード作成依頼者の顔写真２が所定の写真貼り付け位置に貼付されている。
【００３３】
なお、ＩＤカードとしては、個人の身分証明書、役所への登録証明書、医院での診察券、交通機関への乗降カード、図書館等での貸し出し証、運転免許証、商品購入に際して加算されるポイントカード、クレジットカード等、どの様なものであってもよい。
【００３４】
次に、本発明に係る複写型ＩＤカード作成装置の代表的な概略構成を図２と図３を用いて説明する。本発明に係る複写型ＩＤカード作成装置は、用紙に記録された情報を読み取って画像データを作成する情報読取装置１０と、情報読取装置１０において良好な画像読取りが行える様に情報読取装置１０の作動を制御したり、情報読取装置１０で作成された画像データをＩＤカード作成用の画像データに変換する制御装置（コンピュータ）２０と、制御装置（コンピュータ）２０で作成された画像データをカード上に出力し顔写真入りのＩＤカードを作成するカードプリンタ３０より構成される。
【００３５】
情報読取装置１０では、顔写真２を貼付した複数枚の用紙１を用紙トレイ１１に積載する。ここで、所定の開始操作を行うと、用紙１は搬送手段である複数の搬送ローラよりなる用紙搬送手段である搬送装置１２により１枚ずつ自動的に下方に搬送される。搬送された用紙１は、ＯＣＲ（光学式文字読取装置）１３の位置で停止し、ＯＣＲ１３は用紙１に記載された個人データ１ａやＩＤ番号１ｂを読み取り、読み取られた文字画像データは制御装置（コンピュータ）２０の文字情報処理部２３に送付され、データが解読される。
【００３６】
続いて、用紙１はＣＣＤカメラ１５の位置に搬送されて停止する。そして、ＣＣＤカメラ１５は用紙１に貼付された顔写真２を撮像する。この時、ＣＣＤカメラ１５による撮像画角は顔写真２に対する撮像画角より大きく設定されていて、顔写真２がある程度の曲がったり位置ずれした状態で貼付されていても、顔写真２とともに顔写真２の周辺に位置する用紙１の一部も撮像されるように構成されている。なお、顔写真２は複数の照明灯１７により照明され、顔写真２が薄手のものであって表面に凹凸があっても照明ムラを発生させない様にしている。また、ＣＣＤカメラ１５により顔写真２を撮像する時は、用紙固定手段である用紙固定装置１９の吸着器１９ａで用紙１を固定する。
【００３７】
本発明では、ＣＣＤカメラ１５により撮像された顔写真２の顔画像データは、制御装置２０の画像データ処理部２１を経由して顔画像データ傾斜検知部２２に送られる。顔画像データ傾斜検知部２２ではＣＣＤカメラ１５で撮像された画像データが曲がっていないかを検知し、顔画像データがまっすぐの状態で撮像されていることを確認すると、顔画像データを画像データ処理部２１に戻してデジタル変換等の所定の画像処理を行って制御部２４に送り、顔画像データと文字画像データとを合成してプリントデータを作成する。
【００３８】
そして、制御部２４で作成されたプリントデータをＩＤカードプリンタ３０に供給してカードの作成を行い、顔写真入りのＩＤカードＣＡを得る。そして、顔写真の画像と個人情報などの文字画像とが正しく読み取られた用紙１は、排紙部１８に搬送されて情報読取装置１０外に排出される。
【００３９】
図２では、ＣＣＤカメラ１５で顔写真２を撮像（プレスキャニング）して得られた顔画像データが、制御装置（コンピュータ）２０の顔画像データ傾斜検知部２２が曲がっている状態を検知すると、制御装置（コンピュータ）２０は顔画像データの曲がり具合に応じて駆動ローラ１２ａ〜１２ｄの駆動を適宜制御して、用紙１に貼付された顔写真２がまっすぐになる様に用紙１を傾斜させる。
【００４０】
搬送ローラ１２ａ〜１２ｄの駆動は、搬送手段１２の搬送ローラ駆動装置１２ｋより伝達されるが、制御装置（コンピュータ）２０から顔写真２の曲がり具合に応じて発せられる駆動制御信号により制御される。
【００４１】
図３に示す様に、コンピュータ２０では制御部２４の搬送手段駆動制御部２４ａから搬送ローラ駆動装置１２ｋに用紙１を傾ける様に指示する駆動制御信号が送られて、顔写真をＣＣＤカメラ１５で撮像した時に顔画像がまっすぐの位置になるまで用紙１を傾斜させる様に搬送ローラ１２ａ〜１２ｄの駆動を制御する。
【００４２】
そして、ＣＣＤカメラ１５で撮像される顔画像がまっすぐになると、搬送ローラ駆動装置１２ｋの駆動を停止してまっすぐになった顔写真２をＣＣＤカメラ１５で撮像してまっすぐな顔画像データを得ることが可能である。
【００４３】
なお、本発明は、顔写真２がまっすぐになる様に用紙１を傾斜させるため、搬送ローラ駆動装置１２ｋの駆動を制御する。具体的な制御方法の１つとして、例えば、顔写真２のエッジ部の傾き具合を検知し、その傾き具合から顔写真２をまっすぐにする方法がある。すなわち、用紙１がＣＣＤカメラ１５の位置に搬送されてＣＣＤカメラ１５による顔写真２の撮像（プレスキャン）が行われると、制御装置（コンピュータ）２０は顔写真２のエッジ部からその傾きを検知して、その傾き具合に応じて用紙１の傾斜量を決めてしまう。そして、制御装置（コンピュータ）２０は決めた用紙１の傾斜量にさせるための駆動制御信号を搬送ローラ駆動装置１２ｋに送信して搬送ローラ１２ａ〜１２ｄの駆動を制御して、用紙１を所定量に傾斜させる。この様に、プレスキャニングを実施した時に用紙１をどの程度傾斜させるかを決めることにより、操作時間の短縮が図られるので作業効率上好ましい。
【００４４】
この様に、本発明では、顔写真２が用紙１に曲がって貼付されている場合、顔写真２がまっすぐになる様に用紙１を傾斜させ、顔写真２がまっすぐに成った時に搬送ローラ駆動装置１２ｋを停止させて、まっすぐになった顔写真をＣＣＤカメラ１５で撮像することにより、曲がりのない良好な顔画像が得られ、ユーザが満足する様な仕上がりの顔写真入りのＩＤカードの作成を可能にする。
【００４５】
次に、本発明における用紙搬送手段である用紙搬送装置１２における用紙１の傾斜方法と、用紙固定手段である用紙固定装置１９による用紙１の傾斜方法の例を、それぞれ図４と図５を用いて説明する。なお、本発明における用紙１の傾斜方法はこれに限定されるものではない。
【００４６】
図４は、用紙搬送装置１２を構成する搬送ローラ１２ａ〜１２ｄを駆動させて用紙１を傾斜させる方法を示す模式図である。なお、図４（ｂ）に示す様に用紙１の搬送方向に対し上方側左右に配置された搬送ローラを１２ａ、１２ｂとし、搬送方向に対し下方側左右に配置された搬送ローラを１２ｃ、１２ｄとする。
【００４７】
先ず、用紙１を搬送ローラ１２ａ〜１２ｄにより搬送させて、顔写真２を貼付した個所がＣＣＤカメラ１５と対向する位置に到達した時にいったん搬送ローラ１２ａ〜１２ｄの駆動を止めて用紙１を停止させる。
【００４８】
次に、ＣＣＤカメラ１５で顔写真２を撮像して、顔写真の傾きを検出する。
【００４９】
ＣＣＤカメラ１５の撮像により、制御装置（コンピュータ）２０が顔写真２が傾きを検知した時、制御装置２０は搬送装置１２の搬送ローラ１２ａ〜１２ｄの駆動を制御させながら用紙１を傾斜させる。
【００５０】
図４（ｂ）は顔写真２が用紙１に対し角度θで傾いて貼り付けられた状態を示しており、この場合、角度θ分だけ用紙１を時計回り方向に傾斜させて顔写真２が用紙１の搬送方向に対して平行になる様にする。
【００５１】
具体的には、例えば、搬送装置１２の下方側に設けた搬送ローラ１２ｃと１２ｄの圧着状態を解除し、上方側の搬送ローラ１２ａと１２ｂを相互に逆転方向に駆動させ（例えば、搬送ローラ１２ａを用紙１の搬送方向（下方）に駆動させる時は搬送ローラ１２ｂを用紙１の搬送方向と逆方向（上方）に駆動させる。また、搬送ローラ１２ａを用紙１の搬送方向と逆方向（上方）に駆動させる時は搬送ローラ１２ｂを用紙１の搬送方向（下方）に駆動させる。）、用紙１を角度θ分傾斜させる。また、顔写真２に近接する側の搬送ローラ１２ｂを圧着状態で停止させておき、搬送ローラ１２ａのみを駆動させて、搬送ローラ１２ｂの圧着個所を中心点として用紙１を角度θ分動かして傾斜させる方法もある。
【００５２】
制御装置（コンピュータ）２０は、ＣＣＤカメラ１５からの撮像による顔写真２の傾きに基づいて、これらの搬送ローラ１２ａ〜１２ｄを個々に駆動させる様に制御しながら、顔写真２が用紙搬送方向に対して平行になる様に（まっすぐになる様に）用紙１を傾斜させる。
【００５３】
そして、顔写真２がまっすぐにした状態で、ＣＣＤカメラ１５で再度顔画像データを取り込みを行うことで、傾きのない良好な顔画像データを取り込む。この時、図２に示す用紙固定装置１９の吸着器（吸盤）１９ａで用紙１を固定して用紙１を静止させた状態で顔画像データの取込みを行う。
【００５４】
ＣＣＤカメラ１への顔画像データの取込みが完了すると、制御装置（コンピュータ）２０は、搬送ローラ１２ａ〜１２ｄの駆動を制御しながら用紙１の角度θの傾斜を解除して、用紙１を搬送可能な状態に戻して排紙部１８に排紙する。
【００５５】
次に、用紙１を傾斜させる具体的な方法の１つとして、用紙１に記録された情報を読み取る時に用紙１が動かない様に固定する手段である用紙固定装置１９を用いた方法を図５を用いて説明する。
【００５６】
図５は、本発明における用紙固定手段である用紙固定装置１９を構成する吸着器（吸盤）１９ａを用いて用紙１を傾斜させる方法を示す模式図である。
【００５７】
図５（ａ）に示す様に、吸着器１９ａを用いて用紙１を傾斜させる装置では、吸着器１９ａは顔写真２を用紙１の所定位置に正確に貼り付けた時に顔写真２の中心位置とほぼ一致する位置に配置されている。また、本発明では図５に示す様に吸着器１９ａはギヤ１９ｄと直結させてモータ１９ｃからの駆動により回転可能な状態を形成させる。図５（ｂ）は吸着器１９ａを回転させる具体例で、吸着器１９ａの近傍に設けられたギヤ１９ｄがモータ１９ｃの駆動を受けることにより吸着器１９ａを左右に回転可能にすることを示している。
【００５８】
ＣＣＤカメラ１５で顔写真２を撮像した時に、制御装置（コンピュータ）２０により読み込まれた顔画像データから顔写真２が用紙１の搬送方向に対して角度θで曲がって貼られていることが検知されると、制御装置（コンピュータ）２０からの駆動制御情報に基づいて顔写真２が用紙の搬送方向に対して平行になる様に（まっすぐになる様に）用紙１を傾ける作業が行われる。
【００５９】
先ず、制御装置（コンピュータ）２０からの駆動制御情報に基づいて、ポンプ１９ｂからの吸引で吸着器１９ａが用紙１に吸着する。この時、吸着器１９ａは前述した様に顔写真２のほぼ真後ろの位置にある。次に、モータ１９ｃの駆動を制御しながらギヤ１９ｄを介して吸着器１９ａを回転させる。図５（ｂ）では吸着器１９ａの回転により、用紙１を時計方向に角度θ傾斜させて顔写真２を用紙１の搬送方向に対して平行になる様にして顔写真２をまっすぐにする。
【００６０】
そして、顔写真２がまっすぐになった状態で、ＣＣＤカメラ１５で再度顔写真２を撮像して顔画像データの取込みを行うことにより、傾きのないまっすぐの顔画像データの取込みが行われる。
【００６１】
ＣＣＤカメラ１による顔画像データの取込みが完了すると、制御装置（コンピュータ）２０は、モータを前述と反対方向に駆動させて用紙１の傾斜を解除して、用紙１を元の状態に戻した後、ポンプ１９ｂを停止して吸着器１９ａの用紙１への吸着を解除し、用紙１を搬送可能な状態にして排紙部１８に排紙する。
【００６２】
この様に、本発明では、用紙搬送手段である搬送ローラ１２ａ〜１２ｄや顔写真２を撮像する時に用紙１を固定する用紙固定手段である用紙固定装置１９の駆動力を利用して、用紙１に貼り付けられた顔写真２がまっすぐになるまで用紙１を傾斜させることにより、傾きのない顔画像データの取込みを可能にする。
【００６３】
最後に、本発明に係る複写型ＩＤカード作成装置における顔写真入りのＩＤカード作成のフローを図６を用いて説明する。図６は、本発明に係るＩＤカード作成のフロー図である。
【００６４】
最初に、オペレータが顔写真２の貼付された用紙１を用紙トレイ１１に積載し（ステップＳ１）た後、用紙搬送装置１２により用紙１を搬送する。搬送された用紙１は、ＯＣＲ（光学式文字読取装置）１３の位置で停止し、記載された個人データ１ａやＩＤ番号１ｂが文字画像データとして読み取られるとともに、文字画像データは制御装置（コンピュータ）２０の文字情報処理部２３に取り込まれる（ステップＳ２）。
【００６５】
次に、用紙１をＣＣＤカメラ１５の位置に搬送して、ＣＣＤカメラ１５で用紙１に貼付された顔写真２を撮像して顔画像データのプレスキャンを行う（ステップＳ３）。プレスキャンされた顔画像データは、制御装置（コンピュータ）２０の顔画像データ傾斜検知部２２で画像データの曲がり状況を検知され（ステップＳ４）、顔画像データが傾斜せずにまっすぐの状態で撮像されたか否かが判断される（ステップＳ５）。
【００６６】
顔画像データがまっすぐに撮像されていると判断されると（ステップＳ５のＹｅｓ）、読み込んだ顔画像データでカード作成を行うために画像データを取り込み（ステップＳ７）、制御装置（コンピュータ）２０では取り込まれた顔画像データと文字画像データよりプリントデータを作成し（ステップＳ８）、このプリントデータを用いてカードプリンタ３０でカード部材に画像出力し（ステップＳ９）、顔写真入りのＩＤカードを完成させる（ステップＳ１０）。
【００６７】
顔画像データが曲がった状態で撮像されていると判断されると（ステップＳ５のＮｏ）、制御装置（コンピュータ）２０は、前述の様に用紙搬送装置１２の搬送ローラ１２ａ〜１２ｄの駆動を制御したり、あるいは、用紙固定装置１９の吸着器１９ａの吸着や回転を制御して、用紙１を傾斜させて顔写真がまっすぐな状態でＣＣＤカメラ１５に撮像される様に傾きを修正する（ステップＳ６）。
【００６８】
そして、顔写真２がまっすぐになったことを検知した後に、再度ＣＣＤカメラ１５による顔画像の読取りを行い（ステップＳ３）、傾きのないまっすぐな顔画像データを取り込み（ステップＳ７）、上述の手順で顔写真入りのＩＤカードを作成する。
【００６９】
なお、本発明では、図６のフロー図に示す様に、ステップ６で補正を行った顔画像を再度読み取った後、読み取った画像に対し傾きの検出と傾き補正を繰り返すものであってもよい。
【図面の簡単な説明】
【００７０】
【図１】複写型ＩＤカード作成装置に使用される顔写真を貼付した用紙の例である。
【図２】本発明に係る複写型ＩＤカード作成装置の概略構成を示す模式図である。
【図３】本発明に係る複写型ＩＤカード作成装置の制御系を示すブロック図である。
【図４】搬送ローラの駆動により用紙を傾斜させる方法を示す模式図である。
【図５】吸着器（吸盤）により用紙を傾斜させる方法を示す模式図である。
【図６】本発明に係るＩＤカード作成のフロー図である。
【符号の説明】
【００７１】
１  用紙
１ａ  個人データ
１ｂ  ＩＤ番号
２  顔写真
１０  情報読取装置
１１  用紙トレイ
１２  用紙搬送装置
１２ａ、１２ｂ  搬送ローラ（上方側）
１２ｃ、１２ｄ  搬送ローラ（下方側）
１２Ｋ  搬送ローラ駆動装置
１３  ＯＣＲ
１５  ＣＣＤカメラ
１８  排紙部
１９  用紙固定装置
１９ａ  吸着器（吸盤）
１９ｂ  ポンプ
１９ｃ  モータ
１９ｄ  ギヤ
２０  制御装置（コンピュータ）
２１  顔画像データ処理部
２２  顔画像データ傾斜検知部
２３  文字データ処理部
２４  制御部
２４ａ  搬送手段駆動制御部
２４ｂ  プリント出力用画像データ制御部
３０  カードプリンタ
ＣＡ  顔写真入りのＩＤカード
【図１】
2005066926.tif 000003
【図２】
2005066926.tif 000004
【図３】
2005066926.tif 000005
【図４】
2005066926.tif 000006
【図５】
2005066926.tif 000007
【図６】
2005066926.tif 000008